(57)【要約】【課題】立体感に富み、天然の木の葉調の外観を有した装飾具と、その製造方法を提供する。【解決手段】装飾具１は、前面及び後面を有した熱可塑性合成樹脂製薄板状成形体よりなる。装飾具１は、該幅方向の中央部を該長手方向に延在する主折曲条２と、該基端側が該主折曲条２の結節点５に連なり、先端側が装飾具１の周縁部にまで達するように延在した複数の副折曲条３，４とを有する。副折曲条３ａ，４ａは前面側に向って凸となっており、副折曲条３ｂ，４ｂは後面側に向って凸となっている。装飾具１の後面には葉脈調の凸条６が設けられている。【選択図】図１
2019136874.tif 000002
【特許請求の範囲】
【請求項１】
第１の面及び第１の面と反対側の第２の面を有した熱可塑性合成樹脂製薄板状成形体よりなる装飾具であって、
該装飾具は、第１の方向（以下、長手方向）の長さが、該長手方向と直交方向の第２の方向（以下、幅方向）の幅よりも大きく、
該装飾具は、該第１の面側に全体として凸になるように曲成されており、
該装飾具は、該幅方向の中央部を該長手方向に延在する主折曲条と、基端側が該主折曲条に連なり、先端側が該装飾具の周縁にまで達するように延在した副折曲条とを有する装飾具。
【請求項２】
金属調又は偏光色を伴っていることを特徴とする請求項１に記載の装飾具。
【請求項３】
前記副折曲条は、前記装飾具の長手方向を上下方向として正対視した状態において、前記主折曲条から左方に延在する左側副折曲条と、右方に延在する右側副折曲条とを有しており、
該主折曲条の長手方向の複数の箇所（以下、結節点）からそれぞれ、左側副折曲条と右側副折曲条とが延出していることを特徴とする請求項１又は２に記載の装飾具。
【請求項４】
前記副折曲条として、前記第１の面側に凸となる凸副折曲条と、前記第１の面側に凹となる凹副折曲条とを有しており、
１つの前記結節点からは左方に凸副折曲条が延出し、右方に凹副折曲条が延出しており、
該結節点に隣接する結節点からは、左方に凹副折曲条が延出し、右方に凸副折曲条が延出していることを特徴とする請求項３に記載の装飾具。
【請求項５】
少なくとも前記第２の面に網目状の凸条が設けられており、一部の凸条は、装飾具の周縁部に臨んでいることを特徴とする請求項１〜４のいずれかに記載の装飾具。
【請求項６】
前記周縁部のうち前記凸条が臨んだ部分は、その近傍よりも外方に突出していることを特徴とする請求項５に記載の装飾具。
【請求項７】
前記主折曲条部分における厚さが最も大きく、周縁部に向って厚さが徐々に小さくなっていることを特徴とする請求項１〜６のいずれかに記載の装飾具。
【請求項８】
前記長手方向の一端側から延出する棒状部を有することを特徴とする請求項１〜７のいずれかに記載の装飾具。
【請求項９】
請求項１〜８のいずれか１項に記載の装飾具を射出成形により製造する装飾具の製造方法。
【請求項１０】
請求項８に記載の装飾具を射出成形により製造する装飾具の製造方法であって、金型のゲート部によって前記棒状部を成形することを特徴とする装飾具の製造方法。
【発明の詳細な説明】
【技術分野】
【０００１】
本発明は、装飾具に係り、特に熱可塑性合成樹脂製の木の葉状の装飾具に関する。
【背景技術】
【０００２】
熱可塑性合成樹脂の木の葉状の成形体が特許文献１に記載されている（特許文献１の請求項２、００１８段落）。特許文献１の成形体は、食品用間仕切りであり、抗菌剤を含有したポリスチレン、ポリプロピレン等の合成樹脂フィルム又はシートよりなり（特許文献１、００１１段落）、プレスで打ち抜くことにより形成される（同、００１０段落）。
【先行技術文献】
【特許文献】
【０００３】
【特許文献１】特開平６−１０００４６号公報
【発明の概要】
【発明が解決しようとする課題】
【０００４】
本発明は、立体感に富み、天然の木の葉調の外観を有した装飾具と、その製造方法を提供することを目的とする。
【課題を解決するための手段】
【０００５】
本発明の装飾具は、第１の面及び第１の面と反対側の第２の面を有した熱可塑性合成樹脂製薄板状成形体よりなる装飾具であって、該装飾具は、第１の方向（以下、長手方向）の長さが、該長手方向と直交方向の第２の方向（以下、幅方向）の幅よりも大きく、該装飾具は、該第１の面側に全体として凸になるように曲成されており、該装飾具は、該幅方向の中央部を該長手方向に延在する主折曲条と、基端側が該主折曲条に連なり、先端側が該装飾具の周縁にまで達するように延在した副折曲条とを有することを特徴とする。
【０００６】
本発明の一態様の装飾具は、金属調又は偏光色を伴っていることを特徴とする。
【０００７】
本発明の一態様の装飾具は、前記副折曲条は、前記装飾具の長手方向を上下方向として正対視した状態において、前記主折曲条から左方に延在する左側副折曲条と、右方に延在する右側副折曲条とを有しており、該主折曲条の長手方向の複数の箇所（以下、結節点）からそれぞれ、左側副折曲条と右側副折曲条とが延出していることを特徴とする。
【０００８】
本発明の一態様の装飾具は、前記副折曲条として、前記第１の面側に凸となる凸副折曲条と、前記第１の面側に凹となる凹副折曲条とを有しており、１つの前記結節点からは左方に凸副折曲条が延出し、右方に凹副折曲条が延出しており、該結節点に隣接する結節点からは、左方に凹副折曲条が延出し、右方に凸副折曲条が延出していることを特徴とする。
【０００９】
本発明の一態様の装飾具は、少なくとも前記第２の面に網目状の凸条が設けられており、一部の凸条は、装飾具の周縁部に臨んでいることを特徴とする。
【００１０】
本発明の一態様の装飾具は、前記周縁部のうち前記凸条が臨んだ部分は、その近傍よりも外方に突出していることを特徴とする。
【００１１】
本発明の一態様の装飾具は、前記主折曲条部分における厚さが最も大きく、周縁部に向って厚さが徐々に小さくなっていることを特徴とする。
【００１２】
本発明の装飾具は、射出成形により製造することができる。
【００１３】
棒状部を有する装飾具の場合、該棒状部は金型ゲート部で成形される。
【発明の効果】
【００１４】
本発明の装飾具は、第１の面側に全体として凸となるように曲成されている。また、幅方向の中央部を長手方向に延在する主折曲条と、該主折曲条から周縁部にまで延在する副折曲条とを有している。そのため、本発明の装飾具は、立体感に富んだ、天然の木の葉調の外観を有する。
【図面の簡単な説明】
【００１５】
【図１】実施の形態に係る装飾具の正面図である。
【図２】実施の形態に係る装飾具の右側面図である。
【図３】図１のIII−III線断面図である。
【図４】装飾具の後面の一部の拡大図である。
【発明を実施するための形態】
【００１６】
以下、図１〜４を参照して実施の形態について説明する。
【００１７】
この装飾具１は、第１の面（以下、前面）及びそれと反対側の第２の面（以下、後面）を有した熱可塑性合成樹脂製薄板状成形体よりなる。該装飾具１は、第１の方向（以下、長手方向）の長さが、該長手方向と直交方向の第２の方向（以下、幅方向）の幅よりも大きい、全体として木の葉形状となっている。装飾具１は、該前面側に全体として凸になるように曲成されている。
【００１８】
装飾具１は、該幅方向の中央部を該長手方向に延在する主折曲条２と、該基端側が該主折曲条２に連なり、先端側が装飾具１の周縁部にまで達するように延在した複数の副折曲条３，４とを有する。副折曲条３は、図１のように装飾具１の長手方向を上下方向として正対視した状態において、前記主折曲条から左方に延在する左側副折曲条３であり、副折曲条４は右方に延在する右側副折曲条４である。
【００１９】
主折曲条２の長手方向の複数の箇所（以下、結節点５）からそれぞれ、左側副折曲条３と右側副折曲条４とが延出している。
【００２０】
副折曲条３，４として、前面側に凸となる山形の凸副折曲条３ａ，４ａと、前面側に凹となる谷形の凹副折曲条３ｂ，４ｂとが設けられている。１つの結節点５からは左方に凸副折曲条３ａが延出し、右方に凹副折曲条４ｂが延出している。該結節点５に隣接する結節点５からは、左方に凹副折曲条３ｂが延出し、右方に凸副折曲条４ａが延出している。そのため、図３の通り、装飾具１は主折曲条２と平行方向においてジグザグ状に折曲している。装飾具１の周縁部及びその近傍におけるジグザグ面の交差角度θは１８０〜９０°特に１７９〜１２０°程度が好ましいが、これに限定されない。
【００２１】
この実施の形態では、前面は平滑で光沢を有した面となっている。後面には、図４のように、網目状の凸条６が設けられている。この実施の形態では、凸条６は葉脈と同様のパターンとなっている。一部の凸条６は、装飾具１の周縁部に臨んでいる。図示は省略するが、この周縁部のうち凸条６が臨んだ部分は、その近傍よりも外方に突出して微小突起を形成している。
【００２２】
この装飾具１は、主折曲条２部分における厚さが最も大きく、周縁部に向って厚さが徐々に小さくなっている。主折曲条２部分の厚みは０．２〜５ｍｍ特に０．５〜４ｍｍとりわけ１．５〜３．５ｍｍ程度が好ましく、周縁部では主折曲条２部分の厚さの９８〜２％特に８０〜２０％となっていることが好ましい。
【００２３】
この装飾具１では、長手方向の一端側から延出する縦棒状部７が設けられている。また、この縦棒状部７の先端に、該縦棒状部７と直交又は斜交方向（この実施の形態では斜交方向）に延在する横棒状部８が設けられている。
【００２４】
熱可塑性合成樹脂としては、非晶性熱可塑性合成樹脂が好ましく、特にポリカーボネート系樹脂が好ましい。この樹脂は、透明でもよく、不透明でもよく、半透明でもよい。
【００２５】
この樹脂は、光輝性や偏光性を有する充填材や染顔料を選定することにより、金属調及び／又は偏光色を有するものとされてもよい。粒子径が大きめで扁平な（例えば平均径が１〜３００μｍで平均厚さが０．１〜１０μｍ）光輝材を合成樹脂１００重量部に対し０．００５〜１０重量部含有させることにより、所謂キラキラとした光輝感を生じさせて、葉についた水滴を感取させるようにしてもよい。さらに蓄光材を合成樹脂１００重量部に対し、０．０５〜４０重量部含有させて暗闇で発光させることにより、落ち葉によるたき火を感取させるようにしてもよい。
【００２６】
この装飾具１は、射出成形により製造することができる。装飾具１の棒状部７，８については、金型のゲート部によって成形することができる。上記のように、主折曲条２付近の厚みを大きくし、周縁部に向って徐々に厚みが小さくなるので、射出成形時に樹脂がキャビティの隅々までスムーズに流れる。特に金属調色を有する場合、ウエルドや流れ模様不良の発生を抑制でき好ましい。
【００２７】
この装飾具１は、凸に湾曲しており、副折曲条３，４が左右に延出し、また１つの結節点５から左右に延びる副折曲条３，４が凹凸逆となっていると共に、図３の通り主折曲条２と平行方向においてジグザグに折曲しているため、偏光色を有する場合、隣り合った面の反射光が異なり、より意匠的な効果があるものであり、極めて立体感に富むと共に、後面に網目状の凸部が設けられており、天然の木の葉調の外観を有している。
【００２８】
なお、網目状の凸部は前面にも設けられてもよく、前面にのみ設けられてもよい。前面を平滑な光沢面とし、後面を凸条６を有した面とするのが好適であるが、これに限定されない。
【００２９】
この装飾具１は、後面に網目状凸条６が設けられているとともに、周縁部に網目状凸条６由来の微小突起が形成されているので、後面や周縁部に触れたときの触感が天然の木の葉調のザラついたものとなる。
【００３０】
上記実施の形態は本発明の一例であり、本発明は上記以外の形態とされてもよい。例えば、木の葉形状でなく、貝殻形状や宝石形状の装飾具としてもよい。
【符号の説明】
【００３１】
１  装飾具
２  主折曲条
３，４  副折曲条
３ａ，４ａ  凸副折曲条
３ｂ，４ｂ  凹副折曲条
５  結節点
６  凸条
７  縦棒状部
８  横棒状部
【図１】
2019136874.tif 000003
【図２】
2019136874.tif 000004
【図３】
2019136874.tif 000005
【図４】
2019136874.tif 000006